(57)【要約】  本発明は、製品を配給するための製品配給経路を含むユーティリティ・ネットワークと、製品配給経路に関連した少なくとも一つのパラメータを監視するためにユーティリティ・ネットワークに関連した複数のユーティリティ電子装置と、少なくとも一つのパラメータに関連した情報に応答してユーティリティ・ネットワークとシステムの一つの性能を評価するためにそれらの装置と通信し、かつ入力に応答して電子ユーティリティ装置の少なくとも一部分集合をポーリングするために動作可能な管理プロセッサーと、を含むシステムを提供する。この評価はパラメータとそのパラメータに関連した情報の、規則に基づいた解析を包含することができる。
2010517473.tif 000002
【特許請求の範囲】
【請求項１】
製品を配給する製品配給通路を含むユーティリティ・ネットワークと、
製品配給通路に関連する少なくとも１個のパラメータを監視するためにユーティリティ・ネットワークに関連する複数の電子ユーティリティ装置と、
少なくとも１つのパラメータに関連する情報に応答してユーティリティ・ネットワークとシステムのうちの１つを評価するために、その装置と通信し、入力に応答して電子ユーティリティ装置の少なくとも１つの部分集合をポーリングするために動作することができ、そしてその評価がパラメータとそのパラメータに関連する情報の１つの規則に基づいた解析を含んでいる管理プロセッサーと、を含むシステム。
【請求項２】
少なくとも複数の電子ユーティリティ装置のうちの１つが広帯域通信能力と、ＩＰｖ６通信能力と周波数ホッピング拡散スペクトラム通信能力を含む請求項１記載のシステム。
【請求項３】
少なくとも電子ユーティリティ装置のうちの１つが管理プロセッサーのエージェントとして働くことのできる請求項１記載のシステム。
【請求項４】
管理プロセッサーと管理プロセッサーのエージェントの１つが、広帯域通信能力と、ＩＰｖ６通信能力と、周波数ホッピング拡散スペクトラム、変調、ダイレクト・シーケンス拡散スペクトラム変調、直交周波数分割多重変調能力の少なくとも１つを含む請求項１記載のシステム。
【請求項５】
管理プロセッサーのエージェントがユーティリティ・ネットワークと関係し、広域ネットワークを介して管理プロセッサーと２方向通信をするゲートウェイ端末である、請求項４記載のシステム。
【請求項６】
管理プロセッサーが配給階層を含む請求項１記載のシステム。
【請求項７】
規則が、問題を報告する電子ユーティリティ装置の割合と問題を報告する電子ユーティリティ装置の数の少なくとも１つに基礎を置く請求項１記載のシステム。
【請求項８】
規則が、ユーティリティ・ネットワークの所定の領域内の問題を報告する電子ユーティリティ装置の割合とユーティリティ・ネットワークの所定の領域内の問題を報告する電子ユーティリティ装置の数の少なくとも１つに基礎を置く請求項１記載のシステム。
【請求項９】
規則が、問題を報告する一部分集合の電子ユーティリティ装置に重み付けを与えることに基礎を置き、かつ電子ユーティリティ装置の重み付けと一部分集合のうちの少なくとも１つが予め定められている請求項１記載のシステム。
【請求項１０】
重み付けが、ユーティリティ・ネットワーク内の電子ユーティリティ装置の位置と、電子ユーティリティ装置の特性と、電子ユーティリティ装置にロードされるソフトウェアと、のうちの少なくとも１つに基礎を置く請求項９記載のシステム。
【請求項１１】
規則が問題を報告する電子ユーティリティ装置の信頼性に基礎を置き、かつ先行するポール応答または応答の欠如に基づいて管理プロセッサーが少なくとも幾つかの複数の電子ユーティリティ装置の信頼性を確立するように動作することが可能な請求項１記載のシステム。
【請求項１２】
規則が、管理プロセッサーに報告される先行情報に基づいて適応可能な請求項１記載のシステム。
【請求項１３】
規則が、ポーリングに応答する、またはポーリングに応答しない電子ユーティリティ装置の部分集合に基礎を置く請求項１記載のシステム。
【請求項１４】
規則が、管理プロセッサーと管理プロセッサーのエージェントの少なくとも１つによって接続可能な電子ユーティリティ装置に基礎を置く請求項１記載のシステム。
【請求項１５】
規則が、接続できない電子ユーティリティ装置の相対的な構造態様的と地理的な近接性のうちの１つに基礎を置く請求項１記載のシステム。
【請求項１６】
管理プロセッサーが、複数の電子ユーティリティ装置のうちの少なくとも１つの信頼性レベルをポーリングに対する応答に基づいて確立するように動作することができる請求項１記載のシステム。
【請求項１７】
管理プロセッサーが、複数の電子ユーティリティ装置のうちの少なくとも１つからの切迫した事故警告を受信するように動作可能な請求項１記載のシステム。
【請求項１８】
管理プロセッサーがデータ・パケットの欠損を防ぐために複数の電子ユーティリティ装置からの通信にスロット割り当てをするように動作可能であり、かつスロット割り当てのされた通信が電子ユーティリティ装置の少なくとも１つからの切迫した故障警告を含む、請求項１記載のシステム。
【請求項１９】
管理プロセッサーが少なくとも１つのパラメータに関連した情報をユーティリティ・ネットワークの性能に関連した既定の基準と比較するために動作可能であり、かつ管理プロセッサーが局地サービス機能停止と、広域ネットワークサービス機能停止と、装置誤動作と、電子ユーティリティ装置での停電事故のうちの少なくとも１つを含むユーティリティ・ネットワークに関係する問題があるか、どうかを決定するためにその比較に応答して複数の電子ユーティリティ装置の少なくとも１つをポーリングするために動作可能な、請求項１記載のシステム。
【請求項２０】
管理プロセッサーが少なくとも１つのパラメータに関係する情報をユーティリティ・ネットワークに関係する性能問題があるか、どうかを決定するためにいろいろな性能しきい基準と比較するために動作可能な、請求項１記載のシステム。
【請求項２１】
管理プロセッサーが電子ユーティリティ装置の接続可能性を決定し、ユーティリティ・ネットワークと接続不可能な電子ユーティリティ装置のうちの１つと関連する性能問題があるか、どうかを決定するために接続不可能な電子ユーティリティ装置に隣接する電子ユーティリティ装置をポーリングするために動作することができる、請求項１記載のシステム。
【請求項２２】
電子ユーティリティ装置の部分集合がユーティリティ・ネットワークの地理的領域内に位置する請求項１記載のシステム。
【請求項２３】
入力が内部で生成された時間ベースの入力である請求項１記載のシステム。
【請求項２４】
入力が顧客電話呼び出しである請求項１記載のシステム。
【請求項２５】
入力が複数の電子ユーティリティ装置のうちの１つによって生成される請求項１記載のシステム。
【請求項２６】
入力がヘッダーとペイロード情報を有するＩＰｖ６パケットと、ヘッダーとペイロード情報を有するＩＰｖ４パケットと、ヘッダーとペイロード情報を有するＴＣＰ／ＩＰパケットとのうちの少なくとも１つを含む請求項１記載のシステム。
【請求項２７】
電子ユーティリティ装置が内部電源を含み、かつ電子ユーティリティ装置が内部電源からの電力を用いて動作するときに入力が生成される請求項１記載のシステム。
【請求項２８】
ユーティリティ・ネットワークの製品配給経路と関係する複数の電子ユーティリティ装置を有するユーティリティ・ネットワークの性能に関連する少なくとも１つのパラメータを監視すること、
少なくとも１つのパラメータに関連する情報を管理プロセッサーに通信すること、
ユーティリティ・ネットワークと関係する性能問題があるか、どうかを決定するために入力に応答して少なくとも幾つかの電子ユーティリティ装置をポーリングすること、
そして、パラメータとパラメータに関係する情報の１つの規則に基づいた解析を行うことを含む手段であって、ユーティリティ・ネットワークを監視する方法。
【請求項２９】
ＩＰｖ６データを送信することを更に含む、請求項２８記載の方法。
【請求項３０】
規則を確立するために、問題を報告する電子ユーティリティ装置の割合と問題を報告する電子ユーティリティ装置の数のうちの少なくとも１つを用いること更に含む、請求項２８記載の方法。
【請求項３１】
規則が、問題を報告する電子ユーティリティ装置の割合と問題を報告する電子ユーティリティ装置の数のうちの少なくとも１つに基礎を置く請求項２８記載の方法。
【請求項３２】
規則が、ユーティリティ・ネットワークの予め指定された領域での問題を報告する電子ユーティリティ装置の割合とユーティリティ・ネットワークの予め指定された領域での問題を報告する電子ユーティリティ装置の数のうちの少なくとも１つに基礎を置く請求項２８記載の方法。
【請求項３３】
規則が問題を報告する電子ユーティリティ装置の部分集合に対して重み付けを与えることに基礎を置き、かつ電子ユーティリティ装置の重み付けと部分集合の少なくとも１つが予め決められている、請求項２８記載の方法。
【請求項３４】
規則を確立するために問題を報告する電子ユーティリティ装置の信頼性を使用することを含み、かつ複数の電子ユーティリティ装置のうちの幾つかに関する信頼性を決定するためにポーリング応答を使用することを更に含む、請求項２８記載の方法。
【請求項３５】
規則を適応させるために前に報告した情報を用いることを更に含む、請求項２８記載の方法。
【請求項３６】
規則を確立するためにポーリングされた複数の電子ユーティリティ装置の部分集合から受信、またはそれに関して集められた情報を使用することを更に含む、請求項２８記載の方法。
【請求項３７】
電子ユーティリティ装置の部分集合がユーティリティ・ネットワークの地理的領域に対応する、請求項２８記載の方法。
【請求項３８】
接続可能な電子ユーティリティ装置に基づいて規則を定義する事と、規則を確立するために接続できない電子ユーティリティ装置の相対的近接性を用いる事を更に含む、請求項２８記載の方法。
【請求項３９】
管理プロセッサーがポーリングに応答して受信した情報から学ぶ、請求項２８記載の方法。
【請求項４０】
複数の電子ユーティリティ装置の少なくとも幾つかに関する信頼性レベルをポーリング応答に基づいて決定することを更に含む、請求項２８記載の方法。
【請求項４１】
複数の電子ユーティリティ装置の少なくとも１つからの切迫した故障警告を管理プロセッサーに送信する、請求項２８記載の方法。
【請求項４２】
データ・パケットの欠損を防ぐために複数の電子ユーティリティ装置からの通信をスロットに入れる事を更に含み、スロットに入れた通信が複数の電子ユーティリティ装置の少なくとも１つからの切迫した故障警告を含む、請求項２８記載の方法。
【請求項４３】
修正作業を要求する前に不応答の電子ユーティリティ装置に関して電子ユーティリティ装置からのポーリング応答を受信することを更に含む、請求項２８記載の方法。
【請求項４４】
複数の電子ユーティリティ装置の接続可能性を決定する事と、ユーティリティ・ネットワークと接続できない電子ユーティリティ装置のうちの１つに関係する性能問題があるか、どうかを決定するために接続できない電子ユーティリティ装置に近接する装置をポーリングする事を更に含む、請求項２８記載の方法。
【請求項４５】
局地サービス機能停止、広域サービス機能停止、装置の誤動作と電子ユーティリティ装置での停電のうちの少なくとも１つを含むユーティリティ・ネットワークに関係した問題があるか、どうかを決定するために、パラメータをユーティリティ・ネットワークに関係した所定の基準と比較する事を含む、請求項２８記載の方法。
【請求項４６】
その比較に応答する電子ユーティリティ装置をポーリングする事を更に含む、請求項４５記載の方法。
【請求項４７】
性能問題があるか、どうかを決定する事が少なくとも１つのパラメータに関係した情報をいろいろな性能しきい基準と比較する事を含む、請求項２８記載の方法。
【請求項４８】
入力が、内部で生成した時間ベース入力と顧客電話呼び出しのうちの１つである、請求項２８記載の方法。
【請求項４９】
入力が、複数の電子ユーティリティ装置の１つによって生成される、請求項２８記載の方法。
【請求項５０】
入力が、ヘッダーとペイロード情報を有するＩＰｖ６データ・パケットと、ヘッダーとペイロード情報を有するＩＰｖ４パケットと、ヘッダーとペイロード情報を有するＴＣＰ／ＩＰパケットのうちの少なくとも１つを含む、請求項２８記載の方法。
【請求項５１】
電子ユーティリティ装置の少なくとも１つが管理プロセッサーのエージェントとして動作する請求項２８記載の方法。
【請求項５２】
ＩＰｖ６フォーマット・データと、ＩＰｖ４フォーマット・データと、ＴＣＰ／ＩＰパケット・プロトコル・フォーマット・データのうちの少なくとも１つを管理プロセッサーから送信する事を更に含む、請求項２８記載の方法。
【請求項５３】
管理プロセッサーと管理プロセッサーのエージェントの１つからのデータを広帯域通信能力、ＩＰｖ６通信能力、ＩＰｖ４通信プロトコル能力、能力の少なくとも１つを用いて送信する事を更に含む、請求項２８記載の方法。
【請求項５４】
管理プロセッサーのエージェントがユーティリティ・ネットワークと関係するゲートウェイ端末であり、かつ広域ネットワークを介して管理プロセッサーと２方向通信をする、請求項５３記載の方法。
【請求項５５】
情報を通信することが周波数ホッピング拡散スペクトラム通信プロトコルと、ダイレクト・シーケンス拡散スペクトラムと、直交周波数分割多重変調のうちの１つを用いて無線ローカルエリヤ・ネットワークを介して通信する事を含む、請求項５３記載の方法。
【請求項５６】
電子ユーティリティ装置が内部電源を用いて動作している時、入力を複数の電子ユーティリティ装置の１つから送信する事を更に含む、請求項２８記載の方法。
【請求項５７】
比較に対応して規則を適応化させる事を更に含む、請求項４５記載の方法。
【請求項５８】
ユーティリティ・ネットワークが製品配給経路とその製品配給経路に関係する複数の電子ユーティリティ装置を含み、その電子ユーティリティ装置がユーティリティ・ネットワークの性能と関係する少なくとも１つのパラメータを監視し、かつそのパラメータに関係する情報を管理プロセッサーに通信し、ソフトウェアがユーティリティ・ネットワークの性能をパラメータに基づいて評価するための制御モジュールと、パラメータに関係する情報がユーティリティ・ネットワークに関係する問題を表示しているか、どうかを確認するために入力に応答して電子ユーティリティ装置の少なくとも１部分集合をポーリングするために動作可能なプログラム・コードを含む、機械読み取り可能な符号で保存され、かつユーティリティ・ネットワークを管理するために使用されるソフトウェア・プログラム。
【請求項５９】
電子ユーティリティ装置の少なくとも１つが管理プロセッサーのエージェントとして動作することのできる、請求項５８記載のソフトウェア・プログラム。
【請求項６０】
制御モジュールと管理プロセッサーのエージェントのうちの１つが広帯域通信能力と、ＩＰｖ６通信能力と、周波数ホッピング拡散スペクトラム通信プロトコル能力のうちの１つを含む、請求項５８記載のソフトウェア・プログラム。
【請求項６１】
管理プロセッサーのエージェントがユーティリティ・ネットワークと関係するゲートウェイ端末であり、広域ネットワークを介して管理プロセッサーと２方向通信をする、請求項６０記載のソフトウェア・プログラム。
【請求項６２】
制御モジュールが周波数ホッピング拡散スペクトラム変調と、ダイレクト・シーケンス拡散スペクトラム変調と、直交周波数分割多重変調のうちの１つを利用して無線広域ローカルエリア・ネットワークを介して複数の電子ユーティリティ装置と通信する、請求項６０記載のソフトウェア・プログラム。
【請求項６３】
電子ユーティリティ装置の少なくとも１つがＩＰｖ６通信能力と、周波数ホッピング拡散スペクトラム通信プロトコル能力の１つを含む、請求項５８記載のソフトウェア・プログラム。
【請求項６４】
制御モジュールが少なくとも１つのパラメータとそのパラメータに関する情報のうちの１つを規則に基づいた解析をするために動作することのできる、請求項５８記載のソフトウェア・プログラム。
【請求項６５】
規則が、問題を報告する電子ユーティリティ装置の割合と問題を報告する電子ユーティリティ装置の数のうちの少なくとも１つに基づいている、請求項６４記載のソフトウェア・プログラム。
【請求項６６】
規則が問題を報告する電子ユーティリティ装置の信頼性に基づいている、請求項６４記載のソフトウェア・プログラム。
【請求項６７】
制御モジュールが先行のポール応答に基づいて複数の電子ユーティリティ装置のうちの少なくとも幾つかの信頼性を確立するために動作することのできる、請求項６６記載のソフトウェア・プログラム。
【請求項６８】
規則が管理プロセッサーに報告される先行の情報に基づいて適応できる、請求項６４記載のソフトウェア・プログラム。
【請求項６９】
規則がポーリングに応答する電子ユーティリティ装置の部分集合に基づいている、請求項６４記載のソフトウェア・プログラム。
【請求項７０】
規則が接続可能な電子ユーティリティ装置に基づいている、請求項６４記載のソフトウェア・プログラム。
【請求項７１】
制御モジュールがポーリングに対する応答に基づいて学習することができる、請求項７０記載のソフトウェア・プログラム。
【請求項７２】
制御モジュールがポーリング応答に基づいて複数の電子ユーティリティ装置のうちの少なくとも幾つかの信頼性を確立するために動作することのできる、請求項７０記載のソフトウェア・プログラム。
【請求項７３】
制御モジュールが複数の電子ユーティリティ装置の少なくとも１つからの切迫した故障警告を受信するために動作することができる、請求項７０記載のソフトウェア・プログラム。
【請求項７４】
制御モジュールがデータ・パケットの欠損を防ぐために電子ユーティリティ装置からの通信にスロットを割り当てるために動作することができ、かつスロットを割り当てられた通信が電子ユーティリティ装置の少なくとも１つからの切迫した故障警告を含む、請求項７０記載のソフトウェア・プログラム。
【請求項７５】
制御モジュールがパラメータに関連する情報をユーティリティ・ネットワークに関連する所定の基準と比較するために動作することができる、請求項７０記載のソフトウェア・プログラム。
【請求項７６】
プログラム・コードが、ユーティリティ・ネットワークに関連する性能問題があるか、どうかを決定するために比較に応答して複数の電子ユーティリティ装置の少なくとも１つをポーリングすることができる、請求項７０記載のソフトウェア・プログラム。
【請求項７７】
制御モジュールが、修正作業を要求する前に応答しない電子ユーティリティ装置に関しての電子ユーティリティ装置からのポール応答を受信するために動作することができる、請求項７０記載のソフトウェア・プログラム。
【請求項７８】
入力が内部で生成した時間ベース入力と顧客電話呼び出しのうちの１つである、請求項７０記載のソフトウェア・プログラム。
【請求項７９】
入力が複数の電子ユーティリティ装置のうちの少なくとも１つによって生成される、請求項７０記載のソフトウェア・プログラム。
【請求項８０】
電子ユーティリティ装置が内部電源を含み、かつ電子ユーティリティ装置が内部電源からの電力を用いて動作するときに入力が生成される請求項７０記載のソフトウェア・プログラム。
【請求項８１】
規則が、問題を報告する電子ユーティリティ装置の割合と問題を報告する電子ユーティリティ装置の数のうちの１つに基づいている、請求項６４記載のソフトウェア・プログラム。
【請求項８２】
規則が、ユーティリティ・ネットワークの所定の領域での問題を報告する電子ユーティリティ装置の割合とユーティリティ・ネットワークの所定の領域での問題を報告する電子ユーティリティ装置の数の少なくとも１つに基づいている、請求項６４記載のソフトウェア・プログラム。
【請求項８３】
規則が問題を報告する電子ユーティリティ装置の部分集合に重み付けを与えることに基づいており、かつ重み付けと電子ユーティリティ装置の部分集合の少なくとも１つが予め決められている、請求項６４記載のソフトウェア・プログラム。
【請求項８４】
手段が、ポーリングされたユーティリティ・メータの性能に関係する少なくとも１つのパラメータに関連する情報に関してユーティリティ・ネットワークの製品配給経路に関係する複数の電子ユーティリティ装置の一部分集合をポーリングする事と、ポーリングに応答して受信した情報から性能問題があるか、どうかを決定することを含む、ユーティリティ・ネットワークの性能問題を管理する方法。
【請求項８５】
性能問題があるか、どうかを決定することがポーリングに応答して受信された情報を所定の基準と比較することを含む、請求項８４の手段。
【請求項８６】
その性能問題は少なくとも一つの局地サービス機能停止と、ネットワークサービス機能停止と装置誤動作と、電子ユーティリティ装置での停電事故を含む請求項８４記載の方法。
【請求項８７】
性能問題が確定する際にさらに修正作業の発注が含まれ、この修正作業は設定可能なひと組の応答規則に基礎を有する請求項８４記載の方法。
【請求項８８】
既定のパフォーマンス基準は、性能問題と性能問題を有する電子ユーティリティ装置の数量とを有する電子ユーティリティ装置の割合の少なくとも一つを基礎としている請求項８４記載の方法。
【請求項８９】
性能問題があるか、どうかを決定することが、ポーリングに応答して受信した情報を所定の性能基準に比較する事とポーリングに応答して受信した情報が所定の性能基準に合わないならば複数の電子ユーティリティ装置の少なくとも１つから付加的な情報を収集する事とを含む、請求項８４記載の方法。
【請求項９０】
性能問題を決定するために、ポーリングに応答して受信した情報の少なくとも１つと付加的情報を複数の性能基準と比較する事を更に含む、請求項８９記載の方法。
【請求項９１】
ポーリングが性能決定規則に従って行われ、かつ性能問題があるか、どうかを決定することがポーリングに応答して受信した情報を性能決定規則と比較することを含む、請求項８４記載の方法。
【請求項９２】
性能問題が決定され、そして性能決定規則がポーリングされるべき他の電子ユーティリティ装置を指定するとき、他の電子ユーティリティ装置のポーリングを更に含む、請求項９１記載の方法。
【請求項９３】
ポーリングされるべき他の電子ユーティリティ装置がユーティリティ・ネットワークの一地理的領域に対応する、請求項９２記載の方法。
【請求項９４】
ポーリングされるべき他の電子ユーティリティ装置が電子ユーティリティ装置の所定の部分集合に対応する、請求項９２記載の方法。
【請求項９５】
ポーリングされるべき他の電子ユーティリティ装置が内部電源を持たない電子ユーティリティ装置を包含する、請求項９２記載の方法。
【請求項９６】
製品配給経路に関係する少なくとも１つのパラメータの規則に基づいた解析に従って、ポーリングされるべき電子ユーティリティ装置の部分集合を決定する事を更に含む、請求項８３記載の方法。
【請求項９７】
電子ユーティリティ装置の部分集合をポーリングする時刻を決定するために製品配給経路に関係する少なくとも１つのパラメータの、規則に基づいた解析を用いる事を更に含む請求項８３記載の方法。
【請求項９８】
システムが、ユーティリティ・グリッドを覆う通信ネットワークで通信し、かつユーティリティ・グリッドが製品を供給するが、そのユーティリティ・グリッドで通信するユーティリティ・ノードを含むインターフェイスと、
命令を処理し、かつ通信ネットワーク・インターフェイスに通信的に結合された少なくとも１つのプロセッサーと、
複数のユーティリティ・ノードの少なくとも１つに対する通信ネットワーク・インターフェイスを介して、ユーティリティ・グリッドにクエリーを送信し、かつ複数のユーティリティ・ノードの少なくとも１つからの通信ネットワーク・インターフェイスからクエリー応答を受信するために動作する事ができる通信モジュールと、
クエリー応答に含まれる情報とユーティリティ・グリッドとネットワークの少なくとも１つの性能に関係する所定の基準との比較に応答して、ユーティリティ・グリッドとネットワークの少なくとも１つの性能を評価するために動作することができる機能停止検出モジュールと、を含む、ユーティリティ・グリッドを監視するシステム。
【請求項９９】
管理プロセッサーが複数の分布対話型プロセッサーを含む、請求項１記載のシステム。
【請求項１００】
規則が、ユーティリティ・ネットワークの所定の部分における正常機能を報告する電子ユーティリティ装置の割合とユーティリティ・ネットワークの所定の部分における正常機能を報告する電子ユーティリティ装置の数の少なくとも１つに基づいている、請求項２８記載の方法。
【請求項１０１】
規則が、問題の無い状態を報告する電子ユーティリティ装置の割合と問題の無い状態を報告する電子ユーティリティ装置の数の少なくとも１つに基づいている、請求項２８記載の方法。
【請求項１０２】
規則が、正常動作の表示を報告する電子ユーティリティ装置の割合と正常動作の表示を報告する電子ユーティリティ装置の数の少なくとも１つに基づいている、請求項２８記載の方法。
【請求項１０３】
入力に応答して電子ユーティリティ装置の少なくとも幾つかをポーリングすることが近接する電子ユーティリティ装置に関係する性能問題があるか、どうかを決定するために電子ユーティリティ装置の少なくとも幾つかをポーリングすることを含む、請求項２８記載の方法。
【請求項１０４】
入力が、電子ユーティリティ装置が所定の期間、送信されたデータを持っていないという認証である、請求項２８記載の方法。
【発明の詳細な説明】
【関連出願】
【０００１】
本出願は、その内容のすべてを引用している２００７年１月３０日出願の出願番号第６０／８９８，５５１号の米国暫定特許出願に対して優先権を請求する。
【技術分野】
【０００２】
本発明はユーティリティ・ネットワークと、さらに特定すると、ユーティリティ・グリッドとユーティリティ・メータの自動読み取りを監視し、かつ制御するためのユーティリティ・ネットワーク管理システムを操作する手段に係るものである。
【背景技術】
【０００３】
本発明は機能停止検出システム（“ＯＤＳ”）を含むユーティリティ・ネットワーク管理システムを提供する。これは、ユーティリティ・グリッド内で起こった何がしかの機能停止事故または事実上全ての機能停止事故の識別を管理するものである。このＯＤＳは修復処置もまた管理することができる。このＯＤＳは更に、あるいは代わりにグリッド・サービス区域の広範な最新の構造形態情報を保持することができる。
【０００４】
本文では、“機能停止”という言葉は、特に、電子ユーティリティ装置とユーティリティ・グリッド内のそれらの装置によって支援される場所に対する電力またはユーティリティ・サービスの消失を含むものであり、“修復”という言葉は、特に、そのような装置と位置に対する電力または他のユーティリティ・サービスの再構築を含むものである。本文では、“ユーティリティ装置”という言葉は、特に電気メータ、他の通信装置、故障回路表示器、および他の分配自動化装置、例えば容量バンク制御器、変圧器、スイッチ再遮断器などのようなものを包含する。
【０００５】
本発明はユーティリティ・ネットワークの機能停止および修復の管理を支援するために使用される方法と、端から端までのシステムと、構成要素および情報流通技術を提供する。本発明の手段とシステムはまた、あるいは代わりに、情報を早急かつ正確に収集し、かつネットワーク化された構造基盤に存在する最終利用者へのサービスと利便性を供給するために使用されるネットワークの機能停止（たとえば、故障）と修復事故を管理するために使用することができる。例えば、本発明の手段とシステムを電気的ユーティリティ・グリッド構造基盤の機能停止と修復管理に効率よく使用することができる。
【０００６】
ユーティリティは現在のところ機能停止と修復の管理を遂行するためにかなり限定されたシステムを配備している。本文では、そのような限定されたシステムを“ＯＤＳ機能”又は“ＯＤＳ”と呼んでおり、修復管理も含んでいる。このＯＤＳはネットワーク管理機能としっかりと結合または集積化することができる。今まで、ＯＤＳは変電所から見て下流の装置において機能停止検知／監視する設備に関しては殆ど無かったという事実のために制限されている。そして、設備が在るところでは、これらの装置にネットワーク接続を提供することは歴史的に桁違いに費用のかかることであった。それ故に、むしろ制限されたものであるか、または設置されていない。
【０００７】
設定時に、ＯＤＳはユーティリティの物理的な接続形態（即ち、階層的方法で整備されたネットワークのいくつかの、または実質的に全ての構成要素の特別な識別を有する分配ネットワーク構造基盤の物理的な配置）での構成要素に対しての説明書き／施設標識／サービス箇所に関連する基本的なデータベースのなかに情報を有している。これらの構成要素は比較的静的装置であり、例えば給電線や変圧器のようなものである。
【０００８】
ＯＤＳへの機能停止と修復のデータ入力は歴史的に顧客の電話通報によって為されてきた。この電話通報は人間オペレータに処理することができて、その施設の状態（例えば、不正確に電圧が与えられているか、または電圧が与えられていないメータ）が人手によって、そのＯＤＳに入力されている。コンピュータ・電話一体化の出現によって、顧客はダイヤル音入力でサービスが顧客のいる場所で与えられているか、どうかを示すことができる。ＯＤＳモジュールは、この情報で一度投入されると、修復が行われるときに、機能停止の範囲または機能停止の残った部分に関して基本的な訂正（即ち、“予想”）を試みることができる。これはＯＤＳで受け取った電話通報情報を合成することによって達成される。
【０００９】
機能停止事故の順序の簡単な例は次のようなものである。即ち、設備識別‘０００１’からの発呼者＃１はサービスの障害を報告するために通報する。ＯＤＳモジュールはこの事例が“給電線１”と“変圧器Ｘ”に関係しているとして、信号をだす。次に、同じ給電線から他の発呼者が通報し、更に機能停止を報告する。例えば、このＯＤＳモジュールは、電力グリッドの結合構造を示すＯＤＳモジュール内での階層的構造分岐を“呼び覚ます”ことによって、機能停止を特定の変換器に関連付けることを試みる。ユーティリティの結合構造は上記のものよりももっと複雑である可能性があるので、多くの場合、もっと複雑な結合構造、自動化スイッチ遮断器などを含むことが有りうる。
【００１０】
改良されたＯＤＳの機能性は自動化が進み、さらにそれに付随して操作効率も良くなるので、ユーティリティにとって魅力的である。調整器は、例えば、顧客障害期間の合計（“ＳＡＩＤＩ”、これは全顧客障害期間の合計を示している）、顧客平均障害期間指数（“ＣＡＩＤＩ”、これはＳＡＩＤＩから出たものである）、システム平均障害頻度指数（“ＳＡＩＦＩ”、これは顧客サービス障害の全数を示している）などのような信頼性の評価指数に基づいてユーティリティに恩恵を与える。ユーティリティは機能停止管理、さらに速い故障分離、そしてサービス修復を行ううえで、さらに良い制御を達成することによって恩恵を受けることができる。
【００１１】
本発明の手段とシステムは送信や配給の構造基盤のネットワーク化されたメータや他の装置を利用することができる。いくつかの実施態様において、本発明の手段とシステムは、ユーティリティ・グリッドの至る所に広く（即ち、多くの異なった場所に）かつ深く（即ち、いろいろな異なった素子の位置で、または近接して）分布させた大量の“検知器”（例えば、賢い、ネットワーク化されたメータ）を活用することによって、改良された動的ネットワーク管理システムまたはシステム・バックアップを達成することができる。これらの検知器からの接続可能性情報は機能停止／修復管理での支援に用いることができる。本文では“接続可能性”という言葉は電子ユーティリティ装置または他のネットワーク構造基盤装置へのデータの送信、またはデータの受信の可能性の基準を言っている。本発明の手段とシステムで達成される改良されたＯＤＳの能力で、ユーティリティは大きなコスト削減と改良された顧客サービスを達成することができる。お金のかかる、人手による点検と修復手段は削減され、かつ避けることができるか、または何れかが可能である。
【００１２】
本発明の手段とシステムは機能停止のユーティリティ会社ＯＤＳに通知し、機能停止を検証し、かつ機能停止の範囲を検知し、修復を検証し、かつ任意の２次的な機能停止の範囲を検知し、かつ管理されたユーティリティが維持することを必要とされる重要な機能停止統計データを計算することができる、またはそれらの何れかが可能である。前述した能力と特徴を与えることにおいて、本発明の手段とシステムは自立した方法で１個のＯＤＳとして動作することが可能であるが、機能停止と修復事故を検知し、かつ管理するために賢いＯＤＳシステムに手助けするための支援構造基盤として役立たせることも可能である。
【００１３】
本発明の手段とシステムは少なくとも２つの異なったネットワーク接続形態を持つことができる。このなかで第１の接続形態は、ユーティリティ・ネットワーク管理センター（“ＮＭＣ”、又は代わりにネットワーク事務管理システムまたは“ＢＯＳ”とも言われることがある）とメータの間に“賢い”ゲートウェイを含むことができる。第２の接続形態はＮＭＣとメータとの間に“賢い”ゲートウェイを持つこと無しで運用することができる。幾つかの実施態様においては、ＮＭＣはユーティリティ制御システムと結合し、かつ指定された機能（例えば、遠隔自動化メータ読み取り、消費量データ収集及び解析、機能停止とサービス回復管理支援など）のいくつか、または全てを実行することができるラジオ放送網管理制御器であり得る。ＮＭＣはまた、あるいは代わりに電子ユーティリティ装置（例えば、顧客ユーティリティ・メータなど）とネットワーク制御の間で２方向の情報の流れを制御することができる。
【００１４】
本発明は製品を供給する製品配給経路を有するユーティリティ・ネットワークと、製品配給経路と関係する少なくとも１つのパラメータを監視するためにユーティリティ・ネットワークと関係する複数の電子ユーティリティ装置と、これらの装置と通信し、かつ少なくとも１つのパラメータと関係する情報に対応してユーティリティ・ネットワークとシステムの１つの性能を評価するために入力に応答して少なくとも電子ユーティリティ装置の１部分集合にポーリングをするために動作可能な管理プロセッサーを含むシステムを提供する。この評価はパラメータの１つとそのパラメータに関連した情報の規則に基づいた解析を含むことが可能である。
【００１５】
本発明はユーティリティ・ネットワークを監視する手段もまた提供する。この手段はユーティリティ・ネットワークの製品配給経路と関連した複数の電子ユーティリティ装置を有するユーティリティ・ネットワークの性能に関連する少なくとも１つのパラメータを監視することや、管理プロセッサーにパラメータに関連した情報を通信することや、ユーティリティ・ネットワークに関連した性能問題があるか、どうかを決定するために入力に対応して少なくとも幾つかの電子ユーティリティ装置にポーリングをする行為を含むことが可能である。この手段はまた１つのパラメータとそのパラメータに関連した情報の、規則に基づいた解析を行う行為を含むことができる。
【００１６】
更に、本発明は機械読み取り可能なコードで記憶され、かつユーティリティ・ネットワークを管理するために使用されるソフトウェア・プログラムを提供する。ユーティリティ・ネットワークは製品配給経路と製品配給経路に関連した複数の電子ユーティリティ装置を包含することができる。電子ユーティリティ装置はユーティリティ・ネットワークの性能に関係した少なくとも１つのパラメータを監視し、かつそのパラメータに関連した情報を管理プロセッサーに通信することができる。このソフトウェアは、そのパラメータに基づいてユーティリティ・ネットワークの性能を評価するための制御モジュールと、そのパラメータに関連した情報がユーティリティ・ネットワークに関わる問題を示しているか、どうかを確認するために入力に応答して少なくとも１部の電子ユーティリティ装置群にポーリングするために動作することのできるプログラム・コードを含むことができる。
【００１７】
本発明はまた、ユーティリティ・ネットワーク内の性能問題を管理するための手段を提供する。この手段は、ポーリングしたユーティリティ・メータの性能に関連した少なくとも１つのパラメータに関連する情報をユーティリティ・ネットワークの製品配給経路に関連した複数の電子ユーティリティ装置の部分集合をポーリングすること、かつポーリングに応答して受信した情報から問題があるか、どうかを決定する行為を含むことができる。
【００１８】
本発明のほかの特徴は詳しい説明と付随した図面を詳しく検討することによって明らかになってくる。
【図面の簡単な説明】
【００１９】
【図１】本発明のいくつかの実施態様によるユーティリティ・グリッド構造基盤と機能停止検出システムの説明図である。
【図２】図１に示されたユーティリティ・グリッド構造基盤と機能停止検出システムの詳細な説明図である。
【図３】図１と図２で示された管理モジュールと機能停止検出システムの機能停止検出モジュールの説明図である。
【図４】図１から３に示された機能停止検出システムのプロセス・フロー図である。
【図５】機能停止事象と本発明の機能停止検出システムの動作を示したものである。
【図６】機能停止事象と本発明の機能停止検出システムの動作を示したものである。
【図７】機能停止事象と本発明の機能停止検出システムの動作を示したものである。
【発明を実施するための形態】
【００２０】
本発明のどの実施態様であってもそれが詳細に説明される前に、本発明がその応用において以後の説明で述べられ、かつ以後の図面で例示される要素の構成や配列の詳細に制限されないということが理解されるべきである。本発明は、他の実施態様であっても実施が可能であり、いろいろな方法で実行できる。本文で使用される語句は説明が目的であって、制限と見做されるべきではないということも、理解されるべきである。本文において“含む”または“包含する”または“有する”とその変化形はその後で使われる言葉と付加的言葉と同様に等価的な言葉を包含することを意味している。
【００２１】
当業者には明らかなように、図に示されているシステム及びネットワークは実際のシステム又はネットワークの可能なモデルである。これから気付くように、記述されているモジュールや論理構造の多くは、マイクロプロセッサーまたは類似した装置によって実行されるソフトウェアで実施されるか、または色々な部品、例えば特定用途集積回路（“ＡＳＩＣｓ”）を含む部品を用いて実施することができる。“プロセッサー”のような言葉はハードウェアとソフトウェアの両方、または何れかを含むことがある、または言うことがある。更にその上、この明細書の至るところにおいて、大文字化された言葉が使用されている。そのような言葉は一般的な使い方と合わせるか、または記述をプログラミング例、式および図またはそれらの何れかと関連付けるのを支援するために使用される。しかしながら、単純に大文字化を使用することによって、如何なる特別な意味も含まれることなく、あるいは推論されるべきではない。それ故に、本発明は特別な実例または言葉、あるいは如何なる特別なハードウェアまたはソフトウェアの実施、あるいはハードウェアまたはソフトウェアの組み合わせにも限定されることはない。
【００２２】
図１と２は、ユーティリティ・グリッド１４の製品配給経路に沿って配置された多くの電子ユーティリティ装置２６を有するユーティリティ・グリッドまたはユーティリティ・ネットワーク１４で起こった幾つかのまたは実質的に全ての機能停止事故の識別を管理するための機能停止検出システム１０（“ＯＤＳ”）を示している。電子ユーティリティ装置２６は製品配給経路に関連した少なくとも１つのパラメータを監視する。いくつかの実施態様において、そして以下に説明するように、ＯＤＳ１０はまた、あるいは代わりに修復活動を管理し、かつグリッド・サービス区域の最新の接続形態を維持すること、またはそれらの何れかを行うことができる。ここでは、説明が電子ユーティリティと電力配給のためのユーティリティ・グリッド１４に為されているが、一方においてここで述べられるシステムと手段はまた、あるいは代わりに他のユーティリティ、例えば水、ガスと他の計量可能な、かつ広く行き渡ったサービスのようなもの、またはそれらの何れかと共に、如何なる他の配備された電子装置（例えば、街灯）においてもまた使用することが可能であるということが理解されるべきである。
【００２３】
図１と２に示されるように、ユーティリティ・グリッド１４は、ネットワーク構造基盤装置１８の分布階層ネットワーク（例えば、通信端末、ゲートウェイ４２、リレー４４、変電所２０、変圧器２２、及び給電線２４）、ユーティリティ・グリッド分配操作センター３６、および区域制御センター３０で、サービス区域内で顧客にサービスするように設計された接続形態でユーティリティ会社によって配備されている。通信ネットワークは機能停止検出システム１０の素子間での通信を容易にすることができる。図１と２で示されているように、通信ネットワークは第１ネットワーク（即ち、ローカルエリア・ネットワーク（“ＬＡＮ”）１６、これはユーティリティ・グリッド１４の要素間を覆い、かつ通信を供給することができ、そして第２ネットワーク３４（例えば、広域ネットワーク（“ＷＡＮ”））、これは自動化メーター読み取りとグリッド制御と監視動作を提供するために、現地にある電子ユーティリティ装置２６とリレー４４とゲートウェイ４２をユーティリティ・グリッド分配操作センター３６及びネットワーク管理センター３８（“ＮＭＣ”）のネットワーク・インターフェイスと結合することを可能にするものである。他の実施態様においては、１個ネットワークまたは３個以上のネットワークは、このＯＤＳ１０（例えば、ネットワーク構造基盤装置１８、ユーティリティ・グリッド分配操作センター３６と、ＮＭＣ３８）の間の要素間の通信を容易にすることができる。
【００２４】
図示した実施態様において、ＮＭＣ３８は第２ネットワーク３４の上でゲートウェイ４２と通信することが出来る。そして、ゲートウェイ４２は第１ネットワーク１６の上でリレー４４と電子ユーティリティ装置２６、またはそれらの何れかと通信することができる。（本文で使われているように、“ゲートウェイ”と“アクセス・ポイント”の語は互換的に使用されている。）第１ネットワーク１６はユーティリティ・グリッド領域を対象とすることがあり、その構造態様はグリッド構造基盤態様と適合することもあり、しないこともある。幾つかの実施態様において、電子ユーティリティ装置２６と、リレー４４と、ゲートウェイ４２と、ＮＭＣ３８と、ＮＭＣ３８の仲介者と、ネットワーク構造基盤装置１８またはそれらの何れかは周波数ホッピング・拡散スペクトラム通信プロトコル能力と、広帯域通信能力と、ＩＰｖ４通信能力と、ＩＰｖ６通信能力と、変調と、直接シーケンス拡散スペクトラム変調と直交周波数分割多重変調能力、またはそれらの何れかを包含している。
【００２５】
図２に示されているように、ゲートウェイ４２と、リレー４４と１つ以上の電子ユーティリティ装置２６、又はそれらの何れかは第１ネットワーク１６と第２ネットワーク３４、又はそれらの何れかの動作範囲を拡張するＮＭＣ３０の仲介者として作動することができる。リレー４４は電子ユーティリティ装置２６への最適な見通し線のために高く配置することができる。幾つかの電子ユーティリティ装置２６はリレー４４の各々と関連することができ、幾つかのリレー４４はゲートウェイ４２と関連することができる。幾つかの実施態様において、電子ユーティリティ装置２６はリレー４４としても、あるいは代わりに機能することができる。例えば、電子ユーティリティ装置２６は、電子ユーティリティ装置２６がリレー４４とゲートウェイ４２、又はそれらの何れかを介してＮＭＣ３８と２方向通信を維持することを可能にするネットワーク・インターフェイス・カード（“ＮＩＣ”）を含むことができる。幾つかの実施態様において、電子ユーティリティ装置２６とリレー４４、またはそれらの何れかはゲートウェイ４２と第１ネットワーク３４、またはそれらの何れかを介して送信することなしでＯＤＳ１０の他の要素と通信することができるような専用ネットワーク上で２方向通信を有することがある。
【００２６】
ゲートウェイ４２は計画（即ち、どの電子ユーティリティ装置が、いつ読まれるか、例えば開始日時、随意的な終了日時を含んだリスト）を実行し、かつ第１ネットワーク１６の上での電子ユーティリティ装置２６からのデータを収集し、かつＮＭＣ３８の方向の上流に向けて読まれたデータを送ることができる。ゲートウェイ４２は第１及び第２ネットワーク１６，３４の上で電子ユーティリティ装置２６の接続可能性を試験する経路計算と接続可能性をみる接続試験用パケットまたは問い合わせのようなネットワーク管理機能も、または代わりに行うことができる。いくつかの実施態様において、接続試験用パケットプログラムはパケット（これはとりわけ、例えば宛名アドレスのようなデータを含むヘッダーと、例えば間隔読み取り結果のような適用業務データを含むデータの本体、を含むことができる）を電子ユーティリティ装置２６に送り、そしてパケットが電子ユーティリティ装置２６に到達し、還ってくるのにどれだけ長い時間を使ったかをミリ秒で示すデータを返す。
【００２７】
接続可能な電子ユーティリティ装置２６は通常は読み取り可能である。しかしながら、場合によっては電子ユーティリティ装置２６は、パケットサイズが小さいときには接続可能であるが、パケットサイズが大きいときには接続できないことがある。
【００２８】
通信経路はゲートウェイ４２と、関連したリレー４４と、１つ以上の電子ユーティリティ装置２６の間で構築される。経路はネットワーク発見型が可能である。ネットワーク発見型経路は、新しい電子ユーティリティ装置２６が活性化されて、かつ第１ネットワーク１６を使って発見メッセージを広めるとゲートウェイ４２によって自動的に決定することができる。静的経路は後続の通信のために確保され、使用されるユーザ定義型経路でありうる。ユーザが定義した静的経路はいくつかの、または全てのネットワーク発見型経路に優先することが可能である。要求に応じた接続試験用パケットを行うとき、ユーザは確保されることなく、あるいは再使用されることのない宛先への１度限りの経路を特定することができる。
【００２９】
他の実施態様においては、電子ユーティリティ装置２６は次に飛び移る近隣素子の優先順位リストを決定するために、近隣素子から経路コスト、接続コスト情報を受信し、評価し、使用する。それから、電子ユーティリティ装置２６はパケット情報を次に飛び移る近隣素子に送る。そして、これはゲートウェイ４２を介して第１と第２ネットワーク１６、３４を通ってＮＭＣ３８に情報を送る。
【００３０】
図１，２から判かるように、ＮＭＣ３８はユーティリティ・グリッド配給センター３６とインターフェイスすることが出来る。ＮＭＣ３８は第１ネットワーク１６を介してユーティリティ・グリッド１４内の顧客施設で電子ユーティリティ装置２６への２方向通信接続で、ＯＤＳの機能を果たす。いくつかの実施態様において、ＮＭＣ３８を電子ユーティリティ装置２６と結合する第１と第２のネットワーク１６、３４の２方向通信の本来の性質と能力を利用することによってＯＤＳ機能は効果的に行われる。
【００３１】
ここで開示されるＯＤＳ１０の幾つかの実施態様は、ＮＭＣ３８とバッテリー・バックアップを持つか、または持たない定電力装置（“ＣＰＤｓ”）で構成される顧客施設電子ユーティリティ装置２６とバッテリー給電による装置（“ＢＰＤｓ”）を含むことがある。これは第１、第２ネットワーク１６、３４の上でリレー４４とゲートウェイ４２を介してＮＭＣ３８と通信する。これらの実施態様において、ＮＭＣ３８はユーティリティ・グリッド１６とメータ読み取りの計画された、または計画されていない検索と報告に関連した正確な状態データと電子ユーティリティ装置２６に内在するユーティリティ消費データを保持することができる。ＣＰＤｓはまたユーティリティ・グリッド１４によっても、または代わりに給電されることが可能である。
【００３２】
図２から判かるように、ＮＭＣ３８は第１論理コンポーネント（例えば、ＯＤＳモジュール５４）と第２論理コンポーネント（例えば、事務管理部門管理モジュール５８）を含むことが出来る。これは図３の図示された実施態様で、下流ユーティリティ装置２６を縦一列で管理している。図３から判かるように、いくつか、または全てのネットワーク構造基盤装置１８といくつか、または全ての電子ユーティリティ装置２６を含んでいるので、ＮＭＣ３８はユーティリティ・グリッド１４の他のコンポーネントとも第１および第２ネットワーク１６、３４を介して通信することができる。いくつかの実施態様において、ＯＤＳモジュール５４は管理モジュール５８を介してユーティリティ・グリッド１４の素子と通信することができる。これは、通信ネットワーク・インターフェイスと第１と第２ネットワーク１６、３４を介してユーティリティ・グリッド１４に問い合わせを送信するために操作可能な通信モジュールを含むことができる。ＮＭＣ３８とＮＭＣ３８の個々の素子（例えば、ＯＤＳモジュールと事務管理部門管理モジュール５８）は多くの異なった場所を持つことができるか、または多数の場所に分布させることができるか、または１つの結合した位置に保存しておくことができる。
【００３３】
本文において、“下流”という言葉は通信経路の方向を示しており、それによってデータは電子ユーティリティ装置２６の方に進行する、そして本文において、“上流”という言葉は通信経路の方向を示しており、データは電子ユーティリティ装置２６からＮＭＣ３８の方向に進行する。
【００３４】
図３に示されているように、ＮＭＣモジュール５８はＷＡＮ帰路上で第１ネットワーク１６に含まれるユーティリティ・グリッド１４のほかのコンポーネントと通信することができる。ユーティリティ・グリッド１４の至るところに分布しているゲートウェイ４２（例えば、先端に搭載される）は他のネットワーク構造基盤装置１８や電子ユーティリティ装置２６と通信することができる。リレー４４はユーティリティ・グリッド１４の至るところに分布することができ（例えば、先端に搭載される）、そして他のネットワーク構造基盤装置１８や電子ユーティリティ装置２６と通信することができる。ネットワーク化された電子ユーティリティ装置２６は顧客位置とユーティリティ・グリッド１４の至るところにある他の監視を必要とされる場所に、またはこれらの何れかの場所に置くことができる。
【００３５】
ＯＤＳモジュール５４と管理モジュール５８は、送信制御プロトコル／インターネット・プロトコル（“ＵＤＰ／ＩＰ”）及びｗｅｂサービス・アプリケーション・プログラム・インターフェイス（“ＡＰＩｓ”）（即ち、ソフトウェア・プログラムとインターフェイスするためのルーティン、プロトコルと、ツール）と通信する。ＩＰプロトコルはインターネット上のホストを接続するために使用されるプロトコルである。ＩＰプロトコルはＵＮＩＸ（登録商標）オペレーテング・システムに組み込むことができ、インターネットに使用することができる。これはネットワーク上でデータを送信するための標準になっている。ＩＰｖ４とＩＰｖ６はＯＤＳシステム１０に使われているパケット・プロトコルの中に入っている。
【００３６】
本文では、“プロトコル”という言葉はとりわけユーティリティ・グリッド１４の２つ以上の要素間でデータを送信するための取り決められた形式を含んでいる。プロトコルは２つの計算端末の間での接続、通信、データ転送を制御または可能にする慣習または標準でありうる。プロトコルは構文と動作と通信データの同期、またはそれらの何れかを支配する規則を含むこともあり、または代わりに行うこともある。プロトコルはハードウェア、ソフトウェア、またはその２つの組み合わせで実施することができる。プロトコルはハードウェア接続の動作を定義することも、または代わりに行うこともできる。通信プロトコルはデータ表示、信号伝達、認証、通信チャンネルで情報を送るために必要とされる誤り検出のための１組の標準的な規則を含むことができる。ネットワーク・プロトコルはネットワーク構造基盤装置１８と電子ユーティリティ装置２６の間の通信のための規則や取り決めの“言語”を定義することができる。プロトコルは如何にしてデータをメッセージに梱包するかを指定する規則をフォーマット化することも、または代わりに行うこともできる。代わりに、または付加的に、プロトコルは、例えば、メッセージ確認または信頼性のある、高性能なネットワーク通信を支援するためにデータ圧縮のような慣習を含むことができる。インターネット・プロトコル群は、ＩＰやその頂点に構築される他の上位のインターネット・プロトコル、例えば、ＴＣＰ、ＵＤＰ、ＨＴＴＰ、ＦＴＰ、ＩＣＭＰやＳＮＭＰのようなものを包含することができる。
【００３７】
いくつかの実施態様において、ＯＤＳモジュール５４と管理モジュール５８は、例えば、所定のプログラム内または所定のコンピュータの上に存在する物のように強く結合され、集積化することができる。もう１つの方法として、ＯＤＳモジュール５４と管理モジュール５８は他のプロトコルまたはインターフェイスを用いて通信することができる。図示された実施態様では、ＮＭＣ３８とゲートウェイ４２はいろいろな物理媒体（１ｘＲＴＴ、ＰＯＴＳダイアル・アップ、イサーネット、他）を用いて第２ネットワーク３４を介してＴＣＰ／ＩＰの上で通信し、かつゲートウェイ４２、リレー４４と電子ユーティリティ装置２６、またはそれらの何れかはＩＰｖ４とＩＰｖ６の上で第１ネットワーク１６（例えば、無線ネットワーク）を介して通信をする。他の実施態様においては、電子ユーティリティ装置２６とネットワーク構造基盤装置１８はＮＭＣ３８と無線ネットワーク（ＣＤＭＡ、１ｘＲＴＴ、ＧＰＲＳ、ＣＤＭＡ−ＥＶＤＯ、ＣＤＭＡ−２０００、ＷＣＤＭＡ、ＷｉＭａｘと同じような物）を介して直接的に通信をする。
【００３８】
ＯＤＳモジュール５４はユーティリティ・グリッド構造形態データをシンプル・オブジェクト・アクセス・プロトコル（“ＳＯＡＰ”）を介してＮＭＣ３８にアップロードすることができ、そして、これは拡張可能なマークアップ言語フォーマット（“ＸＭＬフォーマット”）要求をＨＴＴＰ上のサーバーに送り、ＸＭＬフォーマットで返答を受信する。ＨＴＴＰはインターネット上の標準的な、認知された通信モードであり、そして殆どのウェブ・サーバーは認識し、ＨＴＴＰ要求に応答するので、ＯＤＳモジュール５４の１つ以上の要素は比較的簡単に集積化できる。加えるに、ＸＭＬはいろいろなシステムの上で情報を交換するための標準的な通信モードである。それ故に、メッセージの受信と送信、またはそれらの何れかを行うためにＸＭＬを使用すれば、特許で守られたフォーマットと違って、如何なるプラットフォームの如何なるシステムにでもそのメッセージを読み、処理させることができる。他の実施態様においては、ＯＤＳモジュール５４またはＯＤＳモジュール５４の要素は他のフォーマットを持つメッセージを送信または受信もまた可能であり、代わりに行うこともできる。これは独占的所有権をもっているものも在るし、そうでないものも在り得る。加えるに、ＨＴＴＰＳは秘守のために使用されることもある。
【００３９】
外部システム、例えば顧客情報システム（“ＣＩＳ”）４６のようなものはユーティリティ構造態様情報をＮＭＣ３８にアップロードすることもできる、また代わりに行うこともできる。ＣＩＳ４６は単独または他のシステム要素と組み合わせて、メータと顧客データとプロファイルを保存するデータベースである。ＣＩＳデータベース内のデータはグリッド構造態様データも包含することができる、また代わりに行うこともできる。もう１つの方法として、あるいは付加するものとして、使われていないユーティリティＯＭＳ情報又はグリッド情報システム（“ＧＩＳ”）（即ち、資源の管理を用意にするために使用されるハードウェアとソフトウェア）は構造態様データを提供することがある。
【００４０】
ＮＭＣ３８は“接続可能性ポーリング計画”と構造態様の重要な部分（例えば、給電線１）に関してのポーリング報告６４（図４に示されている）を生成する。ポーリング計画はアプリケーション層ネットワーク接続可能性統計とネットワーク・アクセス基準によって信頼できると識別される装置２６の集合を含むことができる。ポーリング計画の長さはユーティリティ構造基盤の広がりと分布、またはそれらの何れかに基づいて構成することができる。例えば、ポーリング計画の長さは給電線あたりの高信頼装置の数と給電線あたりの高信頼装置の割合、またはそれらの何れかに基づいて構成可能である。
【００４１】
別の方法として、または付加的に、故障回路指示器（“ＦＣＩ”）または最高級、高機能、商用または工業用電気メータ（例えば、ＧＥｋＶ２ｃ）のような定電力装置（“ＣＰＤ”）メータの存在はポーリング計画の長さに影響を与えることが可能である。ＦＣＩを有する実施態様において、このＦＣＩは機能不全のユーティリティ状態（例えば、停電事故に関して）にフラッグを立てることができる。これらの実施態様において、ＦＣＩは最新の配給システムの要求の変化に合うように多くの電気的選択肢を与えることができる。
【００４２】
ＮＭＣ３８はユーティリティ構造態様領域（例えば、給電線守備範囲）内のゲートウェイ４２に第２ネットワーク３４を介して通信することが出来る。図３に示されるように、ＮＭＣ３８は適当なゲートウェイ４２に接続可能性ポーリング計画を送信することができる。図３の図示された実施態様において、給電線１は多重ゲートウェイ４２（例えば、ゲートウェイ１とゲートウェイ２）の橋渡しをしている。図３の図示された実施態様において、ＣＰＤｓＭ１とＭ３はゲートウェイ１に関係しており、ＣＰＤｓＭ６はゲートウェイ２と関係しており、かつＦＣＩである。様々な実施態様において、そして色々な応用において、如何なる数の電子ユーティリティ装置２６であってもＯＤＳ問題に参加するためにゲートウェイ４２又はＮＭＣ３８の何れかによって選択することが可能である。
【００４３】
分散的ポーリング手段において、ゲートウェイ守備領域で識別された電子ユーティリティ装置２６は予め決められたポーリング計画で情報を送信する。接続可能性計画は電子ユーティリティ装置２６に事前送信もされ得る、あるいは代わりに行うことができる。図３の図示された実施態様において、ゲートウェイ１とゲートウェイ２、またはそれらの何れかは電子ユーティリティ装置２６を既定の接続可能性ポーリング計画に正規の時間間隔（例えば、５分ごとに）または特別の計画基準で加えることが可能である。
【００４４】
ＦＣＩを有する実施態様において、このＦＣＩはＮＩＣ使用可能な故障回路指示器であり得る。図３に示されるように、電子ユーティリティ装置２６の少なくとも１つ（例えば、Ｍ８）はＧＥｋＶ２ｃのような最高級で、非常によく装備されたメータであり得る。ゲートウェイ守備範囲のこれらの型の装置はＯＤＳ問題に参加するための理想的な装置である。送信されるメッセージのフォーマットは以下に別々に説明する。分散的運転での通常ポーリング順序において根源を識別し、動作状態を読み出し、電源のオン・オフ状態のメータ・ロケールを得るために、ＮＭＣ３８に必要な全ての、または殆ど全ての情報は電子ユーティリティ装置２６によって送信することができる。
【００４５】
集中型のポーリング手段において、ＮＭＣ３８とゲートウェイ４２、またはそれらの何れかは何時でも守備領域で認識されたユーティリティ装置２６にアクセスして、ステータス情報を抽出することができる。ステータス情報はポーリングされる電子ユーティリティ装置２６に関する任意の情報と電子ユーティリティ装置２６が収集する任意の情報（例えば、メータに表示される商品、温度、メッセージまたは第１ネットワークを介して接続される他の電子ユーティリティ装置２６からのアクセス量など）、またはそれらの何れかを含むことができる。両方向のメッセージ・フォーマートはここでは区別して説明する。ＮＭＣ３８とゲートウェイ４２、またはそれらの何れかはポーリングされる識別された電子ユーティリティ装置２６が接続可能か、どうかを決定することができる。これが１度達成されると（例えば、電子ユーティリティ装置２６の各々からの確認メッセージを介して）、電子ユーティリティ装置２６は（自立して、又は要求に応答して）ＮＭＣ３８に追加のメッセージを送り返すことができる。そして更なる運用ステータス情報を与える。
【００４６】
１つ以上の電子ユーティリティ装置２６が応答することに失敗すると、ＮＭＣ３８またはゲートウェイ４２は応答しない電子ユーティリティ装置２６の中から近隣の電子ユーティリティ装置２６をポーリングすることができ、その結果、応答しない電子ユーティリティ装置２６の状態に関して利用できる如何なる最新情報でも得ることができる。これらの近隣の電子ユーティリティ装置２６を通して、ＮＭＣ３８は停電、ネットワーク不良またはその他の理由で接続できない電子ユーティリティ装置２６とユーティリティ・グリッド１４の箇所を明確にすることができる。この情報はバッテリー駆動型電子ユーティリティ装置２６によって更に補填される。いくつかの実施態様において、バッテリー駆動型電子ユーティリティ装置２６は自己報告である。代わりに、または付加的に、バッテリー駆動型電子ユーティリティ装置２６はＮＭＣ３８からの要求に応答して報告することができる。
【００４７】
機能停止が起こったか、どうかを決めることは設定可能なプロセスにすることができる。いくつかの実施態様において、ユーティリティは測定可能な第１ネットワーク１６のいろいろな側面に関して、それぞれの基準や閾値を入力することができる。例えば、いくつかの実施態様において、ユーティリティは、第１ネットワーク１６によって覆われているユーティリティ・グリッド１４の予め指定された領域で接続できないとしてポーリングされる電子ユーティリティ装置２６の何割が動作基準内にあるか、を特定することができる。代わりに、または追加として、接続できない電子ユーティリティ装置２６の割合が設定閾値を越えたときにのみ、考えられる機能停止事故が誘発されるが、このような設定閾値をユーティリティは特定することができる。代わりに、または追加として、ユーティリティは動作基準内、または設定閾値内にあっても、接続できないとしてポーリングされる電子ユーティリティ装置２６の数を特定することができる。その場合、接続できない電子ユーティリティ装置２６の数が設定閾値を越えた時にのみ、考えられる機能停止事故が誘発される。
【００４８】
代わりに、または追加として、機能停止決定は、通常の動作の表示で、または機能停止予想から問題がないことを示す表示で応答する電子ユーティリティ装置２６の数（または、電子ユーティリティ装置２６の割合）を含むように構成することができる。いくつかの場合において、電子ユーティリティ装置２６は機能停止決定に関係のない問題を含むことがある。ＯＤＳモジュール５４は、機能停止事故をもっと正確に分類し、非機能停止事故を無視するために問題としてポール応答に含まれる（または、ポール応答から排除される）状態、情報、応答、その他を含むように、または排除するように設定されることがある。
【００４９】
通常動作の間、ＯＤＳモジュール５４は第１ネットワーク１６を監視する。そして、如何なる混合した受動的または能動的な監視も含むことがある。例えば、電子ユーティリティ装置２６は何らかの設定可能な期間／計画でポーリングすることができる。代わりに、または追加的に、ポーリングは顧客の要求（例えば、電話呼び出し）に応じて、または１つ以上の電子ユーティリティ装置２６から受信したメッセージ（例えば、バッテリー・バックアップ装置２６がバッテリー電力で動作を始めるとき）によって、開始することができる。
【００５０】
第１ネットワーク１６を監視することからの応答は設定可能な機能停止閾値基準に対して与えられる。第１ネットワーク１６を監視することから得られる情報が設定可能な機能停止閾値に適合する場合には、ＯＤＳモジュール５４は可能な機能停止を宣言し、所定の行動をとることができる。この所定の行動は、第１ネットワーク１６の電子ユーティリティ装置２６の付加的ポーリングを導くこと、得られた情報と他のソース（例えば、近接した電子ユーティリティ装置２６）から得られた付加的情報の相関をとること、かつ第１ネットワーク１６の上で接続可能な電子ユーティリティ装置２６からの実測の特性を比較すること、またはこれらの何れか、を含むことができる。
【００５１】
起こりそうな機能停止が存在するか、どうかを決定すること、または実際の機能停止（例えば、ローカル・サービス機能停止、ネットワーク的広域サービス機能停止、装置誤動作、指定ユーティリティ装置２６での停電）が起こったということを宣言すること、どちらかの状態に対応してとられる行動と同様に、その基準は第１ネットワーク１６に利用できるどのような基準にも依存することが在りうる。例えば、いくつかの実施態様において、第１ネットワーク１６は、通信の型、メータの型、施設の型（住宅用、会社用、政府用、その他）、施設の使用量（高、低、中間）などによって領域的に分割することができる。それ故に、機能停止を宣言するための異なった基準は第１ネットワーク１６から受信した異なった情報に適用されることがある。そして、設定可能な機能停止規則と基準によって定義されるので、宣言された機能停止は第１ネットワーク１６の任意の部分に対して宣言されることがある。
【００５２】
機能停止を宣言する基準は、また、あるいは代わりに、いろいろな電子ユーティリティ装置２６の信頼性と電子ユーティリティ装置２６の位置、またはそれらの何れかに基づいた、幾つかの又は全ての電子ユーティリティ装置２６に関する重み付けした値を含むことができる。いくつかの実施態様において、機能停止を宣言する基準は、電子ユーティリティ装置２６と比較的近接した接続できない電子ユーティリティ装置２６、またはそれらの何れかの各々から受信した先行情報に基づいて適応させることができ、また変化させることができる。これらの実施態様において、先行情報はいろいろな電子ユーティリティ装置２６の信頼性または信頼性レベルを構築するために使用することができる。
【００５３】
加えるに、決定に対する応答もまた設定可能であり、任意の電子ユーティリティ装置２６、第１ネットワーク１６の領域、または部分集合は異なった応答をとることが可能である。考えられる機能停止または実際の機能停止の宣言に対する応答において、ＯＤＳモジュール５４は通常動作（例えば、メータの読み取り、その他）を一時停止しないように選択することができる。そして、第１ネットワーク１６で高い優先度が与えられるＯＤＳポーリング・タスクで、ＯＤＳ関連要求ポーリングと通常動作を並列に誘導することができる。この並列動作はＩＰｖ６型自動メータ読み取り（“ＡＭＲ”）ネットワークを利用している。いくつかの実施態様において、ＡＭＲネットワークは簡易エネルギー消費検索能力を含むことができ、機能停止検出や無線メータ・プログラミングのような他の能力も、または代わりに持たせることができる。いくつかの実施態様において、ＩＰｖ４がパケット・フォーマートとして使用されることもある。
【００５４】
図４を参照して、ＯＤＳモジュール５４は地理的に変化させ得る基準（例えば、過去の歴史、天候、樹木などに基づいて）を利用して機能停止を定義することができる。機能停止条件は機能停止基準に変換することができる（例えば、給電線の負担限界：Ｘ装置）。この情報はユーティリティ・グリッド操作センター３６にとって有益になりうる。それ故に、このユーティリティは自身のＯＤＳ決定閾値を生成し、かつ第１ネットワーク１６にカナリア装置６６を構築し、かつ差し迫った故障（“最後のあがき”）と停電に直面していることをＮＭＣ３８に知らせる第１ネットワーク１６に在る任意の電子ユーティリティ装置２６からの非同期メッセージを受信することができる。またはこれらの何れかをすることができる。
【００５５】
構築された基準に基づいて、ＮＭＣ３８はポーリングを保証する（例えば、給電線あたり電子ユーティリティ装置２６のｎ％、または給電線あたりｍ個の電子ユーティリティ装置２６）ために自分自身の機能停止基準を設定する。ポーリング・リストをプログラム的に構成するための基準は必要に応じて変更し、更新する。または、これらの何れかを行う。
【００５６】
カナリア装置６６とゲートウェイ４２はネットワーク接続を確認するか、または電子ユーティリティ装置２６に問い合わせをし、またはこれらの何れかをすることができる。例外ポーリングに含まれるカナリア装置６６、ゲートウェイ４２および電子ユーティリティ装置２６が負のデータ（例えば、機能停止が起こらなかったことを示すデータ）を返すとき、ＮＭＣ３８は前に受信したデータを無視して、通常の動作に帰還する。いくつかの実施態様において、悪いデータを受信した後に於いても、ＮＭＣ３８は機能停止が起こらなかったことを確認するために少なくとも幾つかの電子ユーティリティ装置２６のポーリングを続けることができる。
【００５７】
閾値数よりも大きい数の電子ユーティリティ装置２６がネットワーク接続確認に応答しない時、且つＮＭＣ３８が可能性のある機能停止に注意している電子ユーティリティ装置２６から付加的な最後のあがきと非同期メッセージを受信する時、またはこれらの何れかの時にはＮＭＣ３８は完全警戒体制に入り、“例外ポーリング”モードを起動する。そのＮＭＣ３８はその時、通常動作（例えば、自動メータ読み取り（“ＡＭＲ”）及び同様なもの）を一時停止するか、または通常動作を遅くすることができる。そのＮＭＣ３８はその時、一時停止した電子ユーティリティ装置グループと近所を短くそして素早い、または何れかのポーリング・メッセージで、かつ近接した電子ユーティリティ装置２６を介してポーリングを行い、接続可能閾値を越えているかどうか、そして起動を引き起こす割合の電子ユーティリティ装置２６が給電線から離脱しつつあるか、どうかを決定する。別の実施態様に於いては、他の条件が“例外ポーリング”モードを起動することがある。他の実施態様では、例外ポーリング・モードは１つ以上の例外ポーリング・モード規則に従って起動される。代わりに、または追加として、例外ポーリング・モードで動作している間、ＮＭＣ３８は所定の性能規則に従って動作することができ、事前に選択した電子ユーティリティ装置２６をポーリングすることができる。少なくともその幾つかは高度に信頼できるものとして評価されることがある。
【００５８】
ＮＭＣ３８はポーリング情報を処理して、機能停止状態を決定する。機能停止条件が見つけられたとき、ＮＭＣ３８は機能停止条件の範囲とユーティリティ・グリッド１４内の機能停止の場所を決定することが出来る。ＮＭＣ３８は機能停止区域にあるグリッド節点（給電線、変電所など）の識別も行うことができ、また代わりに行うことができる。そして、グリッド節点の状態を包含することもでき、また代わりに行うことができる。いくつかの実施態様において、カナリヤ装置６６を給電線、変電所２０、変圧器２２および同等な物のような重要なグリッド節点に設置することができる。いくつかの実施態様において、カナリヤ装置６６は電池バックアップ能力を含むことができる。別の実施態様では、カナリヤ装置６６は電池バックアップ能力を持たないことがある。
【００５９】
接続可能性報告書がＮＭＣ３８によって処理された後、ＮＭＣ３８は機能停止制御と修復作業を行うことができる。そのような機能停止制御と修復作業の間、電子ユーティリティ装置２６を補強し、情報がＮＭＣ３８に通されることを確認するためにカナリヤ・ポーリングを行うことが可能である。この情報は第１ネットワーク１６を通常動作に戻すために使用され、いくらかの、または全ての例外ポーリングが終結される。大規模な機能停止と修復の事故の場合（例えば、電子ユーティリティ装置２６の少なくとも５％はいつでも故障状態を経験する）、ＮＭＣ３８はネットワーク状態を再確認するまで周期的な検査を行うことができる。
【００６０】
電子ユーティリティ装置２６の各々はＮＭＣ３８とゲートウェイ４２、またはそれらの何れかによって電子ユーティリティ装置２６に送られてくる色々な型のメッセージに応答することができる。いくつかの実施態様において、電子ユーティリティ装置２６は通常動作または緊急動作（例えば、機能停止）に基づいてメッセージの構造を変えることができる。メッセージの型と内容は、メッセージの変更と同様に設定可能である。電子ユーティリティ装置２６はまた、あるいは代わりに、例えば、停電や不正使用のような、ある状態が起きたことに追随して“最後のあがき”メッセージを送信するように設定することもできる。各メッセージは異なった符号を持つことができる。
【００６１】
このポーリング工程で、ＮＭＣ３８はユーティリティ・グリッド１４内で電力供給の状態を構築し、全グリッド・サービス区域の“使用状態地図”を作成することができる。このデータは定期的に更新される。この領域で選択された電子ユーティリティ装置２６は、選択された電子ユーティリティ装置２６とその場所がサービス（例えば、電力、ガスなど）を受けているか、または機能停止状態に直面しているかを定期的にＮＭＣ３８に報告することができる。電池バックアップを持たないＣＰＤｓを有する実施態様において、ＮＭＣ３８はゲートウェイ区域で任意のＣＰＤの接続の確認をし、応答（即ち、通常動作）または無応答（即ち、機能停止状態）の検査を行うことができる。
【００６２】
いくつかの実施態様において、このポーリング処理に対して例外がありうる。例外は、非同期事故のネットワーク管理要素（例えば、ゲートウェイ４２とＮＭＣ３８、またはそれらの何れか）の受領書（例えば、停電が起こった電子ユーティリティ装置２６からのトラップまたは通知書）、ポーリングの見逃し（即ち、ポーリングされた電子ユーティリティ装置２６がポーリングに応答しない）と１群又は１連のポーリングの見逃し、これらの何れかとして、記述することができる。いくつかの実施態様において、ＮＭＣ３８はＯＤＳモジュール５４に向かって上流に例外を送ることができる、そしてＯＤＳモジュール５４は順番に“例外”と“要求”ポーリング、または何れかを開始することができる。代わりに、ＮＭＣ３８とゲートウェイ４２、または何れかは、このタスクを単独で始めることができ、ＯＤＳモジュール５４に結果を報告することができる。
【００６３】
“例外”はゲートウェイ４２がＡＣ電源からＤＣ電源に遷移するときに起こり得る（即ち、ゲートウェイ４２がバッテリー電力で動作しつつあるとき）。いくつかの実施態様において、そのような例外は一群の例外型のポーリングを引き起こすことがある。代わりに、または追加として、そのような例外はいくつかのまたは全ての正式に計画された活動（例えば、メーターの読み取り）を中断し、代わりに下流の構造態様の目標の掃引とストローブを行うことを認可することがある。電子ユーティリティ装置２６が接続不可能か、または読み出しができないように見える場合に、電子ユーティリティ装置２６を読み出そうとし続けることは意味の成さないことである。
【００６４】
機能停止／修復の管理機能を構築する目的のために、電子ユーティリティ装置２６は何が“突発”または“機能停止管理”モードを起動するかを決定する。それ故にＯＤＳモジュール５４とＮＭＣ３８は機能停止の範囲を決定し、かつ正常なメータ読み取りトラヒックと戦わないように焦点を合わせることができる。ＡＣ電源からＤＣ電源に移るゲートウェイ４２は突発モードで動作を起動することができる。突発モードの運用は、ＦＣＩが接続不可能になったとき、バッテリー装備の末端の電子ユーティリティ装置２６が接続不可能になったとき、更にカナリヤ・ポーリング目標の‘ｎ’パーセントが接続不可能になったときにも開始することができる。または代わりに行うこともある。
【００６５】
ＯＤＳシステム（例えば、ゲートウェイ４２ＮＭＣ３８、又は第３パーテーのＯＤＳ）とユーティリティ・グリッド１４内の電子ユーティリティ装置２６に間で交換されるメッセージはネットワーク故障部分に素早くアクセスし、メッセージと機能停止構造態様の相関を取る能力を与えるように設計することができる。プロトコル効率はメッセージ・サイズを減らすことによって、また第１ネットワーク内で相関と圧縮を与えることによっても向上させることができる。前述したように、ユーティリティ構造態様は物理的媒体によって変化し得るものであり、それ故に、同じ応用構造基盤が再利用され、かつ多くの異なった物理媒体の上に被せる事ができるように、プロトコルは高いシステム層に保存されることが可能である。
【００６６】
ＮＭＣ３８の異なった層にある多重メッセージを第１ネットワーク１６にある機能停止を素早く検出し、効率的にユーティリティ・グリッド１４内の機能停止と相関をとるために必要なものとして使用することができる。ＮＭＣ３８は製品が一貫して他の製品と共に動作するように製品実装者を案内することができる。いくつかの実施態様において、参照モデルは通信の各終点で行われる７層の機能を定義している。
【００６７】
ＬＡＮ１６内のリンクのメンテナンス情報は、レイヤー２のメッセージの監視を通して、近隣の電子ユーティリティ装置２６と近隣の電子ユーティリティ装置２６の大きな集合、またはそれらの何れかが接続不可能になったか、どうかを素早く決定するのに活用することができる。レイヤー２は多層化通信モデルのデータ・リンク層であり得る。データ・リンク層は第１ネットワークの物理的リンクを通してデータを動かすことができる。データ・リンク層は初期結合が設定されたことを確実にし、出力データをデータ・フレームに分割し、そしてその確認を操作することができる。
【００６８】
第１ネットワーク１６において、どこにメッセージを向けるかを決めるために宛先媒体アクセス制御（“ＭＡＣ”）アドレスを用いて、スイッチはレイヤー２のレベルでデータ・メッセージの方向を向けなおすことができる。データ・リンク層は２つのサブ・レイヤー（即ち、ＭＡＣと論理リンク制御（“ＬＬＣ”））を含むことができる。ＭＡＣプロトコルは、同じチャネルを介して異なった場所から送られてくる信号が衝突しないことを確実にすることができる。ＭＡＣ層の機能性はネットワーク・アダプターに組み込むことができ、そして各ＮＩＣを識別する独自の通し番号を含むことができる。
【００６９】
ＮＭＣ３８の第３のレイヤー（“レイヤー３”）で、もし電子ユーティリティ装置２６がメッセージに応答していて、それ故に生きていて活動しているならば多重物理媒体を通して素早く評価するためにメッセージが交換される。レイヤー３は顧客またはサーバー・ステーションの論理アドレスを含む通信プロトコルを参照する。レイヤー３はまた“ネットワーク・レイヤー”として参照され、第２ネットワーク３４を通してそれを転送するルータによって点検されるアドレス（ＩＰｖ４、ＩＰｖ６、その他）を含むことができる。レイヤー３はトラヒックがネットワーク宛先と同様にメッセージ・タイプに基づいて優先順位を付けられ、転送されるタイプ・フィールドを含むことができる。
【００７０】
ＮＭＣ３８の他のレイヤー（“レイヤー７”）で、例えば、装置２６に電源が入れられているか、そして近隣の電子ユーティリティ装置２６が第１ネットワーク１６を切り離したか、どうか、またはその何れかのような、電子ユーティリティ装置２６と関連したグリッド指標を評価するためにメッセージが交換される。
【００７１】
電子ユーティリティ装置２６が第１ネットワーク１６を通して通信するために、レイヤー２のリンク・メンテナンスは近隣の電子ユーティリティ装置２６で常に行われるか、または実質的にいつも行われる。従って、第１ネットワーク１６の中のネットワーク構造基盤装置１８は電子ユーティリティ装置２６が接続不可能になるか、再起動させるかどうかを非常に速く知ることになる。機能停止検出に影響を与える事故が起こると、レイヤー２のプロセスはレイヤー７に呼び出しをかけることができ、より以上の機能停止検出ロジックを達成することができる。
【００７２】
レイヤー３のメッセージは、電子ユーティリティ装置２６が多重物理媒体の上でネットワーク・トラヒックに応答しているか、どうかを評価するための効果的な手段として使用することができる。レイヤー３のメッセージはインターネット制御メッセージ・プロトコル（“ＩＣＭＰ”）エコー・トラヒックの形で送ることができる。
【００７３】
ＩＣＭＰはインターネット・プロトコル式のプロトコルである。ＩＣＭＰは、例えば、要求されたサービスが利用できない、またはホストあるいはルータが接続できないということを示すエラー・メッセージを送るためにネットワーク・コンピュータのオペレーテング・システムによって使用することができる。いくつかの実施態様において、ＯＤＳモジュール５４又はＯＤＳモジュール５４のエージェント（例えば、ゲートウェイ４２）は、装置が接続可能かどうか、そしてホストに対して如何に長いメッセージの送受信ができるか、を決定するためにエコー要求メッセージを送り、さらにエコー応答メッセージを受信することができる。
【００７４】
機能停止に対するネットワーク故障の相関はアプリケーション・レイヤーでとることができる。オペレータ・ロード型構造態様によって、物理的には電子ユーティリティ装置２６によって与えられ、レイヤー２とレイヤー３、またはその何れかのメッセージによって発見される情報は、機能停止情報を報告し、収集するために目標とするメッセージを作成するのに使用することができる。幾つかの実施態様において、２つの部類の機能停止型が在りうる（装置状態ポールと装置ヘルス例外）。
【００７５】
装置状態ポール・クラスのメッセージは了解されたユニキャスト・メッセージであり、ＩＰｖ６とＵＤＰに梱包されている。これは電子ユーティリティ装置２６の“グリッド・ヘルス”を評価するために上流アプリケーションによって起動される。上流アプリケーションは“デバイス・ステータス・ポール”要求を電子ユーティリティ装置２６に送る。そして、それから電子ユーティリティ装置２６は、そこのヘルス状態（例えば、電子ユーティリティ装置２６に電力が供給されている）と近隣のヘルス状態（例えば、近隣の電子ユーティリティ装置２６は最近、接続ができなくなった）を明示するために、１組のヘルス表示器で応答する。
【００７６】
装置ヘルス例外メッセージは、電子ユーティリティ装置２６の物理的状態の変化（例えば、装置２６は停電したか、どうか）を示すために、または“近所”の停電を示すかも知れないネットワーク構造態様の変化（例えば、１０個の隣接する電子ユーティリティ装置２６が短い時間枠内で消えた）を示すために上流に送信される受信確認済み、または確認されていないユニキャスト・メッセージである。装置ヘルス例外は電子ユーティリティ装置２６によって何度も送信され、そして非常に多くの装置ヘルス例外を全ての近隣の電子ユーティリティ装置２６を代表する単一のヘルス状態に関連付けることのできる中間の、“スマート”電子ユーティリティ装置２６によってプロキシし、合体させることができる。
【００７７】
図５は機能停止事故のときのＯＤＳモジュール５４の動作を示したものである。特に、顧客の場所（例えば、住居建物）で１個の電子ユーティリティ装置２６Ａが機能停止を起こしている。図５から７では、フューズ又は回路遮断器は文字“Ｓ”で識別されており、地下電源線は長い破線で示されており、サービス線は短い破線で示されており、給電線は実線で示されている。これはＯＤＳ情報フローを示す太い破線と混同させないためである。
【００７８】
図５の図示例では、顧客場所に関係する電子ユーティリティ装置２６Ａは機能停止事故を報告するために第１ネットワーク１６を介してＯＤＳモジュール５４に差し迫った故障警告を送信する。前述したように、機能停止事故は多くのいろいろな方法で発見され、報告することができる。従って、ここで差し迫った故障警告に対して問い合わせがされる一方において、機能停止事故はまた、あるいは代わりに、定期的なポーリング、顧客電話問い合わせ、電子ユーティリティ装置２６や近接したネットワーク構造基盤装置１８によってもたらされる周期的なポーリング、及び他の障害と前述した動作、またはこれらの何れかに応答して報告され、かつ発見される、またはその何れかが試されうる、ということが理解されるべきである。
【００７９】
電子ユーティリティ装置２６Ａはレイヤー２の差し迫った故障警告（例えば、いわゆる“最後のあがき”メッセージ）を直接的にＯＤＳモジュール５４または所定のルートを用いてＯＤＳモジュール５４のエージェントに送信することができる。電子ユーティリティ装置２６Ａは更に、あるいは代わりに、差し迫った故障警告を、近接した電子ユーティリティ装置２６または近接したネットワーク構造基盤装置１８（例えば、図５のリレー４４Ａ）に送信することができ、そしてこのメッセージをその時、ＯＤＳモジュール５４に送ることができる。エージェントを有する実施態様において、ＯＤＳモジュール５４のエージェントはレイヤー２メッセージをＳＮＭＰレイヤー３に変換し、そのメッセージをゲートウェイ４２（例えば、ゲートウェイ４２Ａ（例えば、図５のゲートウェイ４２Ａ）又はＮＭＣ３８に進めることができる。ゲートウェイ４２ＡはメッセージをＯＤＳモジュール５４の事故受信機７２に送ることができる。
【００８０】
差し迫った故障メッセージに応答して、ＯＤＳモジュール５４のポーラー７４は、保存したユーティリティ構造態様情報に基づいて起動用電子ユーティリティ装置２６Ａに類似し且つその近隣に在る電子ユーティリティ装置２６にポール要求を送信し、それからのポール応答を受信する。ＯＤＳモジュール５４はその時、機能停止が単一の顧客位置に対応する単一の電子ユーティリティ装置２６Ａで起こったということを確認するために、差し迫った故障警告とポーリング要求の結果を関係付ける。ＯＤＳモジュール５４はその時、差し迫った故障警告と事故要約７６で報告する電子ユーティリティ装置２６に対応する発信源位置を表示することができる。更に、修復活動が行われ、そして完了すると、ＯＤＳモジュール５４はサービスが回復した事を確認するためにＯＤＳモジュール５４はポーラー７４からの付加的なポーリング・データを利用することができ、それから通常のサービスが回復したことを確認するメッセージを表示することができる。
【００８１】
図６は他の機能停止事故が起こったときのＯＤＳモジュール５４の動作を示しており、この事故は図５で示された機能停止事故よりも範囲や程度において広い。具体的に言うと、異なった顧客位置に在る多くのユーティリティ装置２６Ａ、２６Ｂ、２６Ｃにサービスを提供する変圧器２２Ａが機能停止をしている。図６の図示例では、変圧器２２Ａと影響を受けているユーティリティ装置２６Ａ、２６Ｂ、２６Ｃ、またはそれらの何れかは差し迫った故障警告を第１ネットワーク１６を介して、機能停止障害を報告するためにＯＤＳモジュール５４に送ることができる。もう一つの方法として、近接するユーティリティ装置２６は、これは他の正常に機能している変圧器２２でサービスを受けているが、ゲートウェイ４２Ａを介してＯＤＳモジュール５４に機能停止報告を送ることができる。前述したように、機能停止事故はいろいろな方法で見つけられ、報告することができる。従って、ここでは差し迫った故障警告について説明しているが、一方において、機能停止事故はまた、あるいは代わりに、定期的なポーリング、顧客電話呼び出し、近隣の電子ユーティリティ装置２６または近隣のネットワーク構造基盤装置１８によって導かれる周期的なポーリング、及び他の事故と上述の動作、またはこれらの何れかに応答して報告され、かつ見つけ出される、またはその何れかが為されるということが理解されるべきである。
【００８２】
変圧器２２Ａと影響を受けているユーティリティ装置２６Ａ、２６Ｂ、２６Ｃ、またはそれらの何れかはレイヤー２の差し迫った故障警告を規定のルートを使ってＯＤＳモジュール５４に直接的に送ることができる。影響を受けているユーティリティ装置２６Ａ、２６Ｂ、２６Ｃと変圧器２２Ａはまた、あるいは代わりに差し迫った故障警告を近隣の電子ユーティリティ装置２６または近隣のネットワーク構造基盤装置１８（例えば、図６のリレー４４Ａ）に送信することができ、そしてこれはＯＤＳモジュール５４に、それからメッセージを送ることができる。ネットワーク構造基盤装置１８（例えば、リレー４４Ａ）はレイヤー２メッセージを単一のＳＮＭＰレイヤー３メッセージに組み入れて、そのメッセージをゲートウェイ４２（例えば、図６のゲートウェイ４２Ａ）又は直接ＮＭＣ３８に送ることができる。そのとき、ゲートウェイ４２はそのメッセージをＯＤＳモジュール５４の事故受信機７２に送ることができる。
【００８３】
差し迫った故障メッセージに応答して、ＯＤＳモジュール５４のポーラー７４は、保存されたユーティリティ構造態様情報に基づいて、ポール要求を、影響を受けた電子ユーティリティ装置２６Ａ、２６Ｂ、２６Ｃと影響を受けた変圧器２２Ａと影響を受けた電子ユーティリティ装置２６Ａ、２６Ｂ、２６Ｃと影響を受けた変圧器２２Ａに類似し、かつ近接した電子ユーティリティ装置２６に送信し、それからポール応答を受信する。その時、ＯＤＳモジュール５４は変圧器レベルの停電が発生し、その停電が多くの顧客位置に影響を与えるということを確認するために差し迫った故障警告とポーリング要求の結果を関連付ける。ＯＤＳモジュール５４はその時、適切な修復作業が開始できるように差し迫った故障警告と、事故要約７６にある変圧器２２Ａに対応する発生源の場所を表示することができる。更に、修復作業がおこなわれ、完了すると、ＯＤＳモジュール５４は通常のサービスが回復したことを確認するためにポーラー７４からの追加ポーリング・データを利用することができ、そしてそれから通常のサービスが回復したことを確認するメッセージを表示することができる。“変圧器レベルの停電”という言葉の使用はユーティリティ階層構造態様のある“レベル”（例えば、送電線、側支線、変電所、その他）での停電の発生を述べている。
【００８４】
図７は更に他の停電事故発生のときのＯＤＳモジュール５４の動作を示している、これは図５、６で示される停電事故よりも範囲が広い可能性がある。特に、多くの変圧器２２Ａ−２２Ｇと近所のいろいろな顧客場所にある多くのユーティリティ装置（まとめて、影響を受けたユーティリティ装置２６Ａ）にサービスを提供する送電線８０Ａは停電を経験する。図７の図示例では、１つ以上の変圧器２２Ａ−２２Ｇと１つ以上の影響を受けた電子ユーティリティ装置２６Ａは、またはこれらの何れかは、停電事故を報告するために第１ネットワークを介して切迫した故障警告をＯＤＳモジュール５４に送ることができる。前述したように、停電事故は多くのいろいろな方法で発見され、報告することができる。従って、ここで切迫した故障警告について問い合わせが行われている間に、規定のポーリング、顧客電話呼び出し、近所の電子ユーティリティ装置２６または近所のネットワーク構造基盤装置１８によってもたらされる周期的なポーリングと他の事故、またはこれらの何れか、及び前述の動作、に応答して、停電事故はどうように、あるいは代わりに報告され、かつ発見される、またはその何れかが為され得ることを理解すべきである。
【００８５】
変圧器２２Ａ−２２Ｇと影響を受けた電子ユーティリティ装置２６Ａは、停電を経験している送電線８０Ａに接続されていない他の電子ユーティリティ装置２６と他のネットワーク構造基盤装置１８（例えば、変圧器２２Ｈ）を介してＯＤＳモジュール５４にレイヤー２の切迫した故障警告を送信することができる。ネットワーク構造基盤装置１８（例えば、変圧器２２Ｈ）はレイヤー２メッセージを１個のＳＮＭＰレイヤー３要約メッセージのなかに結合し、ゲートウェイ４２（示されていない）に、または直接ＮＭＣ３８に送ることが出来る。ゲートウェイ４２はそれからＯＤＳモジュール５４の事故受信機７２にメッセージを送ることができる。
【００８６】
差し迫った故障メッセージに応答してＯＤＳモジュール５４のポーラー７４は、保存されたユーティリティ構造態様情報に基づいて、ポール要求を変圧器２２Ａ−２２Ｇと、影響を受けた電子ユーティリティ装置２６Ａと、影響を受けた電子ユーティリティ装置２６Ａと影響を受けた変圧器２２Ａ−２２Ｇに類似し、かつ近接した電子ユーティリティ装置２６と変圧器２２に送信し、ポール応答を受信する。それから、ＯＤＳモジュール５４は切迫した故障警告とポーリング要求の結果の関連付けをして、送電線事故が発生し、その事故が多数の変圧器と多数の顧客場所に影響を与えるということを確認する。ＯＤＳモジュール５４はそれから切迫した故障警告と事故要約７６にある送電線８０Ａでの発生場所を表示することができ、その結果、適切な修復作業を開始することができる。更に、修復作業が実施され、完了すると、ＯＤＳモジュール５４は通常のサービスが回復したことを確認するためにポーラー７４からの付加的なポーリング・データを利用することができ、通常のサービスが回復したことを確認するメッセージをその時、表示することができる。
【００８７】
以上に記述され、図で示された実施態様は実例によって表現されているだけであって、本発明の概念と原理に対する制限を意図しているものではない。本発明の様々な特徴と利便性は以下の特許請求の範囲に記載されている。
【図１】
2010517473.tif 000003
【図２】
2010517473.tif 000004
【図３】
2010517473.tif 000005
【図４】
2010517473.tif 000006
【図５】
2010517473.tif 000007
【図６】
2010517473.tif 000008
【図７】
2010517473.tif 000009
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
製品を配給する製品配給通路を含むユーティリティ・ネットワークと、
製品配給通路に関連する少なくとも１個のパラメータを監視するためにユーティリティ・ネットワークに関連する複数の電子ユーティリティ装置と、
少なくとも１つのパラメータに関連する情報に応答してユーティリティ・ネットワークとシステムのうちの１つを評価するために、その装置と通信し、入力に応答して電子ユーティリティ装置の少なくとも１つの部分集合をポーリングするために動作することができ、そしてその評価がパラメータとそのパラメータに関連する情報の１つの規則に基づいた解析を含んでいる管理プロセッサーと、を含むシステム。
【請求項２】
少なくとも電子ユーティリティ装置のうちの１つが管理プロセッサーのエージェントとして働くことのできる請求項１記載のシステム。
【請求項３】
規則が、問題を報告する電子ユーティリティ装置の割合と問題を報告する電子ユーティリティ装置の数の少なくとも１つに基礎を置く請求項１記載のシステム。
【請求項４】
規則が、ユーティリティ・ネットワークの所定の領域内の問題を報告する電子ユーティリティ装置の割合とユーティリティ・ネットワークの所定の領域内の問題を報告する電子ユーティリティ装置の数の少なくとも１つに基礎を置く請求項１記載のシステム。
【請求項５】
規則が、問題を報告する一部分集合の電子ユーティリティ装置に重み付けを与えることに基礎を置き、かつ電子ユーティリティ装置の重み付けと一部分集合のうちの少なくとも１つが予め定められている請求項１記載のシステム。
【請求項６】
重み付けが、ユーティリティ・ネットワーク内の電子ユーティリティ装置の位置と、電子ユーティリティ装置の特性と、電子ユーティリティ装置にロードされるソフトウェアと、のうちの少なくとも１つに基礎を置く請求項５記載のシステム。
【請求項７】
規則が問題を報告する電子ユーティリティ装置の信頼性に基礎を置き、かつ先行するポール応答または応答の欠如に基づいて管理プロセッサーが少なくとも幾つかの複数の電子ユーティリティ装置の信頼性を確立するように動作することが可能な請求項１記載のシステム。
【請求項８】
規則が、管理プロセッサーに報告される先行情報に基づいて適応可能な請求項１記載のシステム。
【請求項９】
規則が、ポーリングに応答する、またはポーリングに応答しない電子ユーティリティ装置の部分集合に基礎を置く請求項１記載のシステム。
【請求項１０】
規則が、管理プロセッサーと管理プロセッサーのエージェントの少なくとも１つによって接続可能な電子ユーティリティ装置に基礎を置く請求項１記載のシステム。
【請求項１１】
規則が、接続できない電子ユーティリティ装置の相対的な構造態様的と地理的な近接性のうちの１つに基礎を置く請求項１記載のシステム。
【請求項１２】
管理プロセッサーが、複数の電子ユーティリティ装置のうちの少なくとも１つの信頼性レベルをポーリングに対する応答に基づいて確立するように動作することができる請求項１記載のシステム。
【請求項１３】
管理プロセッサーが、複数の電子ユーティリティ装置のうちの少なくとも１つからの切迫した事故警告を受信するように動作可能な請求項１記載のシステム。
【請求項１４】
管理プロセッサーがデータ・パケットの欠損を防ぐために複数の電子ユーティリティ装置からの通信にスロット割り当てをするように動作可能であり、かつスロット割り当てのされた通信が電子ユーティリティ装置の少なくとも１つからの切迫した故障警告を含む、請求項１記載のシステム。
【請求項１５】
管理プロセッサーが少なくとも１つのパラメータに関連した情報をユーティリティ・ネットワークの性能に関連した既定の基準と比較するために動作可能であり、かつ管理プロセッサーが局地サービス機能停止と、広域ネットワークサービス機能停止と、装置誤動作と、電子ユーティリティ装置での停電事故のうちの少なくとも１つを含むユーティリティ・ネットワークに関係する問題があるか、どうかを決定するためにその比較に応答して複数の電子ユーティリティ装置の少なくとも１つをポーリングするために動作可能な、請求項１記載のシステム。
【請求項１６】
管理プロセッサーが少なくとも１つのパラメータに関係する情報をユーティリティ・ネットワークに関係する性能問題があるか、どうかを決定するためにいろいろな性能しきい基準と比較するために動作可能な、請求項１記載のシステム。
【請求項１７】
管理プロセッサーが電子ユーティリティ装置の接続可能性を決定し、ユーティリティ・ネットワークと接続不可能な電子ユーティリティ装置のうちの１つと関連する性能問題があるか、どうかを決定するために接続不可能な電子ユーティリティ装置に隣接する電子ユーティリティ装置をポーリングするために動作することができる、請求項１記載のシステム。
【請求項１８】
電子ユーティリティ装置の部分集合がユーティリティ・ネットワークの地理的領域内に位置する請求項１記載のシステム。
【請求項１９】
入力が内部で生成された時間ベースの入力である請求項１記載のシステム。
【請求項２０】
入力が顧客電話呼び出しである請求項１記載のシステム。
【請求項２１】
入力が複数の電子ユーティリティ装置のうちの１つによって生成される請求項１記載のシステム。
【請求項２２】
電子ユーティリティ装置が内部電源を含み、かつ電子ユーティリティ装置が内部電源からの電力を用いて動作するときに入力が生成される請求項１記載のシステム。
【請求項２３】
ユーティリティ・ネットワークの製品配給経路と関係する複数の電子ユーティリティ装置を有するユーティリティ・ネットワークの性能に関連する少なくとも１つのパラメータを監視すること、
少なくとも１つのパラメータに関連する情報を管理プロセッサーに通信すること、
ユーティリティ・ネットワークと関係する性能問題があるか、どうかを決定するために入力に応答して少なくとも幾つかの電子ユーティリティ装置をポーリングすること、
そして、パラメータとパラメータに関係する情報の１つの規則に基づいた解析を行うことを含む手段であって、ユーティリティ・ネットワークを監視する方法。
【請求項２４】
規則を確立するために、問題を報告する電子ユーティリティ装置の割合と問題を報告する電子ユーティリティ装置の数のうちの少なくとも１つを用いること更に含む、請求項２３記載の方法。
【請求項２５】
システムが、ユーティリティ・グリッドを覆う通信ネットワークで通信し、かつユーティリティ・グリッドが製品を供給するが、そのユーティリティ・グリッドで通信するユーティリティ・ノードを含むインターフェイスと、
命令を処理し、かつ通信ネットワーク・インターフェイスに通信的に結合された少なくとも１つのプロセッサーと、
複数のユーティリティ・ノードの少なくとも１つに対する通信ネットワーク・インターフェイスを介して、ユーティリティ・グリッドにクエリーを送信し、かつ複数のユーティリティ・ノードの少なくとも１つからの通信ネットワーク・インターフェイスからクエリー応答を受信するために動作する事ができる通信モジュールと、
クエリー応答に含まれる情報とユーティリティ・グリッドとネットワークの少なくとも１つの性能に関係する所定の基準との比較に応答して、ユーティリティ・グリッドとネットワークの少なくとも１つの性能を評価するために動作することができる機能停止検出モジュールと、を含む、ユーティリティ・グリッドを監視するシステム。
【国際調査報告】
2010517473.tif 000010